(57)【要約】【課題】２段階の動作が可能な可動役物を備えた遊技機において、コストアップや駆動源への過負荷といった問題を解消することのできる遊技機を提供する。【解決手段】演出役物装置１００が作動状態にあるときには、役物本体２００は、初期位置から下方に移動することとなるが、最大移動位置まで移動すると、役物本体２００に設けられたレバーアーム２６０が下ストッパ１２１に当接し、さらに下方へ移動しないように規制される。このとき、レバーアーム２６０が上方に押し上げられることにより、リンク機構Ｒが作動し、左右の羽根部材２１０，２２０が展開した形態になる。【選択図】図４
2015077285.tif 000002
【特許請求の範囲】
【請求項１】
遊技盤に設けられる演出役物装置を有する遊技機であって、
前記演出役物装置は、
役物本体と、
この役物本体が移動可能なレールが形成されたレール部材と、
このレール上において前記役物本体を移動させる移動機構と、
を備え、
前記役物本体は、
ベース本体に可動可能に取り付けられた羽根部材と、
前記ベース本体に可動可能に取り付けられるとともに、前記移動機構により前記役物本体が前記レール上を移動させられたときに、規制ストッパに当接することにより作動するレバー部材と、
このレバー部材に連結され、当該レバー部材の作動に連動して、所定の位置にて連結された前記羽根部材を特定の位置に変位させる連結部材と、
から構成されるリンク機構を有することを特徴とする遊技機。
【請求項２】
前記レバー部材は、
付勢手段により当該レバー部材が付勢された第１位置と、
前記付勢手段により前記レバー部材が付勢されるとともに、前記第１位置とは異なる第２位置に変位可能であって、
前記リンク機構は、
前記レバー部材が前記規制ストッパに当接するまでは、前記付勢手段により当該レバー部材を前記第１位置に位置させるように付勢されており、
前記レバー部材が前記規制ストッパに当接すると、当該レバー部材を前記第２位置に変位させることを特徴とする請求項１に記載の遊技機。
【請求項３】
前記羽根部材は、
前記ベース本体に回動可能に取り付けられた回動部と、
前記連結部材と回動可能に連結された連結部と、
前記回動部および前記連結部が設けられた羽根本体と、
を有し、
前記連結部材が前記レバー部材の作動に連動したときに、前記連結部が回動することにより、前記回動部を中心として前記羽根本体を前記ベース本体において回動させることを特徴とする請求項１に記載の遊技機。
【発明の詳細な説明】
【技術分野】
【０００１】
本発明は、演出役物装置を備えた遊技機に関する。
【背景技術】
【０００２】
近年、パチンコ機に代表される遊技機では、液晶表示等からなる演出表示装置において、大当たり抽選の結果を変動表示させた識別図柄を停止表示させることにより、当該大当たり抽選の結果を遊技者に視認可能としている。また、演出表示装置においては、この識別図柄の変動表示に合わせて様々な演出、例えば、キャラクターを登場させたり、物語を展開させたりすることにより、単に遊技者が識別図柄の停止表示を待つだけでなく、識別図柄が停止表示するまでに大当たり抽選の結果に期待を持たせるようになっている。
【０００３】
さらに、最近は、上記した識別図柄の変動表示に合わせて、演出表示装置の前面に移動してくる可動役物（演出役物装置）を備えた遊技機も知られるようになっており、特許文献１乃至特許文献３に示す遊技機（以下、「従来の遊技機」という）では、識別図柄の変動表示に合わせて、可動役物を演出表示装置の前面において移動させることにより、遊技者に大当たり抽選の結果に期待を持たせるようにしている。
【先行技術文献】
【特許文献】
【０００４】
【特許文献１】特開２０１３−１１６１７４号公報
【特許文献２】特開２０１０−０１２１６３号公報
【特許文献３】特開２００９−２６８７３０号公報
【発明の概要】
【発明が解決しようとする課題】
【０００５】
例えば、上記従来の遊技機では、可動役物の移動に加えて、さらなる可動もさせようとする（２段階目の動作をさせる）ものである。例えば、特許文献１または特許文献３に示す遊技機では、１段階目の動作をさせる駆動源と２段階目の動作をさせる駆動源とを別々の駆動源とすることにより、２段階目の動作を実現させていた。しかしながら、別々の駆動源を設けることによるコストアップが問題となっていた。
【０００６】
また、特許文献２に示す遊技機では、ガイドレールや突起物に引っ掛けることにより２段階目の動作をさせることにより、２段階目の動作を実現させていた。しかしながら、２段階目の駆動力を得るためには、１段階目の駆動源による駆動力を本来１段階目の動作のみに必要な駆動力以上にしなければならない。このため、１段階目の駆動源に係る負荷が増大したり、または、２段階目の駆動力が十分に得られないために２段階目の動作が遅くなったり、といったことが問題となっていた。
【０００７】
本発明は、上記した実状に鑑みてなされたものであり、その目的は、２段階の動作が可能な可動役物を備えた遊技機において、上記したコストアップや駆動源への過負荷といった問題を解消することにある。
【課題を解決するための手段】
【０００８】
上記目的を達成するため、本発明は、遊技盤に設けられる演出役物装置を有する遊技機であって、前記演出役物装置は、役物本体と、この役物本体が移動可能なレールが形成されたレール部材と、このレール上において前記役物本体を移動させる移動機構と、を備え、  前記役物本体は、ベース本体に可動可能に取り付けられた羽根部材と、前記ベース本体に可動可能に取り付けられるとともに、前記移動機構により前記役物本体が前記レール上を移動させられたときに、規制ストッパに当接することにより作動するレバー部材と、このレバー部材に連結され、当該レバー部材の作動に連動して、所定の位置にて連結された前記羽根部材を特定の位置に変位させる連結部材と、から構成されるリンク機構を有することを特徴としている。
【０００９】
また、上記構成において、前記レバー部材は、付勢手段により当該レバー部材が付勢された第１位置と、前記付勢手段により前記レバー部材が付勢されるとともに、前記第１位置とは異なる第２位置に変位可能であって、前記リンク機構は、前記レバー部材が前記規制ストッパに当接するまでは、前記付勢手段により当該レバー部材を前記第１位置に位置させるように付勢されており、前記レバー部材が前記規制ストッパに当接すると、当該レバー部材を前記第２位置に変位させることを特徴としている。
【００１０】
また、上記構成において、前記羽根部材は、前記ベース本体に回動可能に取り付けられた回動部と、前記連結部材と回動可能に連結された連結部と、前記回動部および前記連結部が設けられた羽根本体と、を有し、前記連結部材が前記レバー部材の作動に連動したときに、前記連結部が回動することにより、前記回動部を中心として前記羽根本体を前記ベース本体において回動させることを特徴としている。
【発明の効果】
【００１１】
本発明によれば、２段階の動作が可能な可動役物を備えた遊技機において、上記したコストアップや駆動源への過負荷といった問題を解消することができる。
【図面の簡単な説明】
【００１２】
【図１】本発明の実施の形態例に係るパチンコ機の外観斜視図である。
【図２】図１に示すパチンコ機のガラス扉を開けた状態の外観斜視図である。
【図３】図１に示すパチンコ機の遊技盤の正面から見た図である。
【図４】演出役物装置が作動した様子を示す図である。
【図５】演出役物装置が非作動状態にあるときの斜視図である。
【図６】演出役物装置が非作動状態にあるときの正面図である。
【図７】演出役物装置が非作動状態にあるときの背面図である。
【図８】図８に示す背面図から、ベースカバーと、裏カバーとを取り外した状態を示す図である。
【図９】演出役物装置が作動状態となり、役物本体が最大移動位置まで移動した場合の斜視図である。
【図１０】演出役物装置が作動状態となり、役物本体が最大移動位置まで移動した場合の正面図である。
【図１１】演出役物装置が作動状態となり、役物本体が最大移動位置まで移動したときの様子を演出役物装置の背面側から見た図である。
【図１２】図１１に示す背面図から、ベースカバーと、裏カバーとを取り外した状態を示す図である。
【図１３】演出役物装置が非作動状態にあるときの役物本体の正面図である。
【図１４】演出役物装置が作動状態にあるときの役物本体の正面図である。
【図１５】星形可動体（収納形態）を正面側から見た図である。
【図１６】星形可動体（展開形態）を正面側から見た図である。
【図１７】星形可動体（収納形態）を背面側から見た図であり、星形可動体の動作について説明する図である。
【図１８】星形可動体（展開形態）を背面側から見た図であり、星形可動体の動作について説明する図である。
【図１９】演出役物装置が非作動状態にあるときの役物本体の背面図である。
【図２０】演出役物装置が作動状態にあるときの役物本体の背面図である。
【図２１】（ａ）レバーアームの構造について説明する図である。（ｂ）従動アーム２７０の構造について説明する図である。（ｃ）連結アーム２８０の構造について説明する図である。
【図２２】（ａ）右羽根部材の構造について説明する図である。（ｂ）左羽根部材の構造について説明する図である。
【図２３】非作動状態にあるときの、レバーアームと、従動アームと、左羽根部材との関係を説明する図である。
【図２４】作動状態にあるときの、レバーアームと、従動アームと、左羽根部材との関係を説明する図である。
【図２５】非作動状態における、第２連結部と、連結アームとの関係を示す図である。
【図２６】作動状態における、第２連結部と、連結アームとの関係を示す図である。
【図２７】非作動状態における、右羽根部材と、連結アームと、第３連結部との関係を示す図である。
【図２８】作動状態における、右羽根部材と、連結アームと、第３連結部との関係を示す図である。
【図２９】演出役物装置の作動タイミングを示すタイミングチャートである。
【発明を実施するための形態】
【００１３】
以下、本発明の実施形態では、遊技機の一例であるパチンコ機Ｐについて図面を参照しながら具体的に説明する。
【００１４】
図１および図２に示すように、パチンコ機Ｐは、遊技場の島設備に設置される縦長方形状の機枠１と、機枠１に扉状に開閉自在に取り付けられた本体枠２と、本体枠２の内側に収容される遊技盤３（図３参照）と、本体枠２の前面に扉状に開閉自在に取り付けられ、中央に大きく開口部８が形成されたガラス扉４と、このガラス扉４の開口部８に取り付けられた透明なガラス板１０と、本体枠２の下側に開閉自在に配設され、遊技球を収容する受皿５を有する前面ボード６と、前面ボード６に取り付けられたハンドル７と、本体枠２の下部に設けられた発射装置９と、を具備している。さらに、ガラス扉４の上部には上部スピーカ１１が左右に１個ずつ取り付けられているとともに、ガラス扉４の左下部には下部スピーカ１２が１個取り付けられており、遊技に関する様々な楽曲や効果音を出力することが可能となっている。なお、以下では、上部スピーカ１１および下部スピーカ１２をまとめて、スピーカ１１，１２と呼称する。
【００１５】
前面ボード６には遊技球を収容するとともに、外部に排出可能な受皿５が取り付けられている。この受皿５は、遊技者が投入した遊技球を収容するだけでなく、賞球として払い出された遊技球も収容可能となっている。また、遊技球を遊技領域１５（図３参照）に向けて発射するための発射装置９が本体枠２の下部に取り付けられており、受皿５に収容されている遊技球がこの発射装置９に１個ずつ供給される。
【００１６】
そして、前面ボード６の右下に取り付けられたハンドル７を回動させると、そのときの回動量に応じた強度で発射装置９が遊技球を遊技領域１５へと発射することができるようになっている。
【００１７】
前面ボード６の中央部付近には、遊技者が押下操作および回転操作する演出用タッチボタン６０が設けられている。この演出用タッチボタン６０は、中央部分が押下式スイッチ（押下操作を検出する）、周縁部が回転型セレクタ（回動操作を検出する）で構成され、発展型の演出（例えば、ノーマルリーチからスーパーリーチに発展する内容の演出）において用いられたり、大当たり遊技中における演出や楽曲を選択する際に用いられたりする。また、スピーカ１１，１２の音量調整のためにも用いられる。
【００１８】
図３に示すように、遊技盤３は、その盤面に遊技領域１５を有しており、遊技領域１５は、本体枠２に装着した後、ガラス板１０を介して観察することができる。遊技領域１５は、遊技球を滑走させるガイドレール１６ａと遊技球規制レール１６ｂとによって略円形状となるように区画形成されており、発射装置９によって打ち出された遊技球はこの遊技領域１５内を流下する。また、遊技領域１５内には、演出表示装置４０と、一般入賞口２０と、ゲート２２と、ステージ５０と、第１始動入賞口（始動口）２４および第２始動入賞口（始動口）２６と、大入賞口２８と、アウト口２９等が設けられている。また、遊技領域１５内には、多数の遊技釘１７（図示のように遊技釘１７は遊技盤３上に多数設けられている）と、風車１４も設けられている。また、遊技盤３右下方の位置には、特別図柄表示装置と、普通図柄表示装置と、特別図柄保留表示器と、普通図柄保留表示器とが設けられている（いずれも図示しない）。
【００１９】
ゲート２２は、遊技球が通過可能な構造を成しており、その内部には遊技球が通過したことを検知する磁気センサが内蔵されている。また、このゲート２２を遊技球が通過したことを契機に行われる普通図柄（普図）に係る電子抽選が行われる。また、この抽選の結果は普通図柄表示装置において表示される。
【００２０】
第２始動入賞口２６は、第１始動入賞口２４の右側に離れて設けられているとともに、この第２始動入賞口２６はスライド板２６ｂを有しており、このスライド板２６ｂは、通常では、遊技盤３の前面方向に突出した状態に維持されている。これにより、経路２６Ａを通過した遊技球が第２始動入賞口２６へ入賞することが不可能となっている。この場合、遊技球は経路２６Ｃを通り、遊技領域１５に排出されることとなる。一方で、普通図柄の抽選に当選となると、図示しない始動入賞口開閉ソレノイドに通電がなされて、スライド板２６ｂが遊技盤３の前面から後方にスライドした状態に維持される。これにより、経路２６Ａを通過した遊技球が第２始動入賞口２６へ入賞することが可能となる。この場合、遊技球は経路２６Ｄを通り、第２始動入賞口２６へ入賞することとなる。
【００２１】
アタッカー装置２７は、第１始動入賞口２４に遊技球が入賞することを契機に行われる第１特図に係る電子抽選の結果、大当たり（特図当たり）となって大当たり遊技に移行した場合、および第２始動入賞口２６に遊技球が入賞することを契機に行われる第２特図に係る電子抽選の結果、大当たり（特図当たり）となって大当たり遊技に移行した場合に所定の回数だけ開放される装置である。つまり、アタッカー装置２７は、両始動入賞口２４，２６での抽選結果に応じて作動する。なお、特別図柄の抽選の結果は特別図柄表示装置において表示される。
【００２２】
そして、このアタッカー装置２７は、水平な軸を中心として前後方向に開閉する板状の蓋部材２７ａを備えており、図示しない大入賞口開閉ソレノイドを駆動することにより蓋部材２７ａが水平軸回りに回動する構成となっている。そして、蓋部材２７ａが開いた状態では遊技領域１５の下部に設けられた大入賞口２８が露呈されることとなり、遊技者は、その大入賞口２８に遊技球を入賞させることができる。そして、大入賞口２８に遊技球が入賞すると、所定個数の遊技球が賞球として遊技者に払い出される。即ち、遊技者は、大入賞口２８に遊技球を入賞させることによって出玉を獲得できるのである。なお、大入賞口２８は、横長な長方形の開口であり、アタッカー装置２７の蓋部材２７ａは、この大入賞口２８の形状とほぼ同じ形状を成している。
【００２３】
また、一般入賞口２０に遊技球が入賞すると、所定個数の遊技球が賞球として遊技者に払い出される。そして、一般入賞口２０、第１始動入賞口２４、第２始動入賞口２６および大入賞口２８の何れにも入らなかった遊技球は、アウト口２９から回収される。
【００２４】
演出表示装置４０は、遊技盤３の略中央部に設けられ、第１始動入賞口２４に遊技球が入賞することを契機に行われる第１特図に係る電子抽選の結果、または第２始動入賞口２６に遊技球が入賞することを契機に行われる第２特図に係る電子抽選の結果に基づいて所定の演出態様を表示するものであって、本実施形態では液晶表示装置が用いられている。この演出表示装置４０には、画面全体に背景画像が表示されるほか、所定の演出態様の一部として、特別図柄表示装置に変動表示される特別図柄と同期をとって演出図柄が変動表示されるようになっている。
【００２５】
演出表示装置４０の上方には、演出役物装置１００が設けられている。この演出役物装置１００についての詳細は後述するが、演出表示装置４０の上方から下方に移動する（落下するように可動する）ことが可能な機構を有する可動役物装置である。
【００２６】
また、図４では、この演出役物装置１００が演出表示装置４０の上方から下方に移動したときの様子を示している。このように、演出役物装置１００が可動すると、演出表示装置４０の前面がほぼ覆い隠されることとなり、遊技者に見た目上のインパクトを与えることができるようになっている。
【００２７】
また、演出表示装置４０の下方には、ステージ５０が設けられている、このステージ５０は、遊技球が転動しながら一時的に滞在する構造物である。このステージ５０を転動した遊技球は一定の割合で第１始動入賞口２４へと導かれる。
【００２８】
次に、演出役物装置１００の全体的な構成について、図５〜図１２を用いて説明する。
【００２９】
図５〜図８は、演出役物装置１００が通常の状態（以下、「非作動状態」という）にあるときの斜視図（図５）、正面図（図６）および背面図（図７、図８）である。
【００３０】
図５および図６に示すように、演出役物装置１００は、役物本体２００と、左レール部材１１０と、右レール部材１３０と、から構成されている。なお、図６は、左レール部材１１０の表カバー１１１を取り外した状態を示している。
【００３１】
また、図７および図８は、演出役物装置１００を背面側から見た図であり、図８は、役物本体２００のベース本体２０１内に設けられた各種ギアやアーム部材等をカバーするベースカバー２０２と、左レール部材１１０の裏カバー１１２をそれぞれ取り外した状態を示している。
【００３２】
左レール部材１１０の内部には、モータ１１３と、モータ１１３のシャフトに固定されたモータギア１１４と、モータギア１１４と噛合する第１従動ギア１１５と、この第１従動ギア１１５と噛合する第２従動ギア１１６と、この第２従動ギア１１６と噛合する第３従動ギア１１７と、が設けられており、この第３従動ギア１１７は、ラックギア１１８と噛合している。
【００３３】
ラックギア１１８には、貫通孔（図示せず）が形成されており、この貫通孔には略円形状のレール１１９が挿通されたうえで、左レール部材１１０内部にこのレール１１９が固定されている。また、この貫通孔は、レール１１９が挿通されるのに十分な径を有しているため、ラックギア１１８は、左レール部材１１０内において固定された、このレール１１９上において上下動（摺動）することが可能となっている。
【００３４】
また、ラックギア１１８には、役物本体２００（詳細には、ベース本体２０１）が取り付けられており、モータ１１３の駆動力は、各従動ギア１１５〜１１７へと伝達され、従動ギア１１７からラックギア１１８へと伝達される。そして、ラックギア１１８がレール１１９上を上下動する動作に変換されることになる。このとき、ラックギア１１８に固定された役物本体２００も共に上下動する。
【００３５】
また、左レール部材１１０の内部には、役物本体２００の上方への移動を規制するための上ストッパ１２０と、役物本体２００の下方への移動を規制するための下ストッパ１２１と、が設けられている。なお、下ストッパ１２１は、レバーアーム２６０が当接する位置であれば、レール１１９上に設けられていてもよいし、左レール部材１１０の外部に設けられていてもよい。
【００３６】
役物本体２００は、ベース本体２０１とベースカバー２０２により形成される本体部２０３と、本体部２０３の前面側（遊技盤の正面方向に向かう側）に設けられた星形可動体２４０と、星形可動体２４０の前面側に設けられた装飾部材２０５と、から構成されている。なお、役物本体２００を構成する本体部２０３、星形可動体２４０および装飾部材２０５についての詳細は後述する。
【００３７】
演出役物装置１００が非作動状態にあるときには、役物本体２００の左端部２０１Ａ（ベース本体２０１の左端部２０１Ａ）の上端２０１Ａａが上ストッパ１２０に当接した位置（以下、「初期位置」という）にて停止した状態が維持される（特に図８参照）。
【００３８】
一方で、演出役物装置１００が作動状態にあるときには、役物本体２００は、上記初期位置から下方に移動することとなるが、所定の位置（以下、「最大移動位置」という）まで移動すると、役物本体２００に設けられたレバーアーム２６０（詳細は後述する）が下ストッパ１２１に当接し、さらに下方へ移動しないように規制される。これにより、役物本体２００が最大移動位置に達した時点で停止した状態となる（特に図１２参照、後述する）。
【００３９】
図９〜図１２は、演出役物装置１００が作動状態となり、役物本体２００が最大移動位置まで移動した場合の斜視図（図９）、正面図（図１０）および背面図（図１１、図１２）である。
【００４０】
図９および図１０に示すように、演出役物装置１００が作動状態となると、役物本体２００が、左レール部材１１０の下方に移動する。そして、最大移動位置まで移動することが可能である。なお、図１０は、左レール部材１１０の表カバー１１１を取り外した状態を示している。
【００４１】
また、図１１および図１２は、演出役物装置１００が作動状態となり、役物本体２００が最大移動位置まで移動したときの様子を演出役物装置１００の背面側から見た図であり、図１２は、図１１に示す背面図から、ベースカバー２０２と、裏カバー１１２と、を取り外した状態を示している。
【００４２】
図１２に示すように、役物本体２００が、最大移動位置まで移動すると、役物本体２００に設けられたレバーアーム２６０が下ストッパ１２１に当接し、レバーアーム２６０が反時計回り上方に所定角度だけ回動する。そして、この所定角度だけ回動すると、レバーアーム２６０の回動限界角度に達し、役物本体２００がさらに下方へ移動することが阻止される。
【００４３】
なお、本実施形態においては、右レール部材１３０には、モータ（駆動源）は設けられておらず、役物本体２００の右端部（ベース本体２０１の右端部２０１Ｂ）を挟持するとともに、役物本体２００の上下動の動作に合わせて右端部２０１Ｂが摺動するのに十分な溝（図示せず）が形成されているのみとしている。すなわち、役物本体２００は、いわゆる「片持ち式」に保持され、上下動されるものであって、役物本体２００は、左レール部材１１０に設けられたモータ１１３の駆動力のみにより作動するものとしている。
【００４４】
次に、役物本体２００について、図１３〜図１４を用いて説明する。
【００４５】
図１３は、演出役物装置１００が非作動状態にあるときの役物本体２００の正面図である。また、図１４は、演出役物装置１００が作動状態にあるときの役物本体２００の正面図である。なお、以降の図示において、ベース本体２０１およびベースカバー２０２は便宜的に図示しない状態で説明する。
【００４６】
装飾部材２０５は、パチンコ機Ｐの名称やモチーフ、ロゴマーク等を模った形状をなしているとともに、図示しないＬＥＤ基板が内蔵されており、演出役物装置１００の作動状態に合わせて、様々な点灯態様にて発光を行うことが可能となっている。
【００４７】
星形可動体２４０は、演出役物装置１００が非作動状態にあるときには、図１３に示すように、収納された状態（見た目上は「星形」には見えない状態）となっているが、演出役物装置１００が作動状態にあるときには、図１４に示すように、「星形五角形」が形成された状態となる。
【００４８】
本体部２０３には、右羽根部材２１０と、左羽根部材２２０とが設けられており、演出役物装置１００が非作動状態にあるときには、図１３に示すように、役物本体２００の上方側に上がった状態となっている。演出役物装置１００が作動状態にあるときには、図１４に示すように、役物本体２００の下方側に向かって広がった状態となる。
【００４９】
例えば、図３や図４等に示すように、演出役物装置１００が非作動状態にあるときには、左右の羽根部材２１０，２２０は、単なる装飾的な部材としか見えず目立たない状態にあるが、演出役物装置１００が作動状態にあるときには、羽根が開いたような状態となり、遊技者に見た目上のインパクトを与えることができる。
【００５０】
星形可動体２４０について、図１５〜図１８を用いて説明する。
【００５１】
図１５および図１６は、星形可動体２４０を正面側から見た図である。図１７および図１８は、星形可動体２４０を背面側から見た図であり、星形可動体２４０の動作について説明する図である。
【００５２】
演出役物装置１００が非作動状態にあるときには、図１５に示すように、頂上片２４１、右上片２４２、右下片２４３、左下片２４４、左上片２４５からなる５つの片が装飾部材２０５に一部収納されたような形態（収納形態）にて保持されている。そして、演出役物装置１００が作動状態にあるときには、図１６に示すように、５つの片２４１〜２４５が回動して星形五角形を形成した形態（展開形態）にて保持される。
【００５３】
図１７に示すように、星形可動体２４０は、星形五角形を形成する５つの片（頂上片２４１、右上片２４２、右下片２４３、左下片２４４、左上片２４５）と、右上片２４２と右下片２４３とを連結する連結部材２４６と、左上片２４５と左下片２４４とを連結する連結部材２４７と、モータ２５０と、モータ２５０のシャフトに取り付けられたモータギア２５１と、モータギア２５０と噛合する従動ギア２５２と、従動ギア２５２と噛合する従動ギア２５３（右片回転用ギア２５３）と、モータギア２５１と噛合する従動ギア２５４（左片回転用ギア２５４）と、から構成されている。
【００５４】
頂上片２４１の裏面には、モータ２５０が取り付けられており、このモータ２５０が回転すると、モータギア２５１を介して、左片回転用ギア２５４および従動ギア２５２が回転し、さらには、従動ギア２５２に噛合する右片回転用ギア２５３が回転することとなる。
【００５５】
右上片２４２には、右片回転用ギア２５３が固定されており、右片回転用ギア２５３が矢印Ａで示す反時計回り方向に回転すると、右上片２４２が矢印Ｂで示す反時計回りに回動する。
【００５６】
右下片２４３は、頂上片２４１の下端部２４１Ｂに回動可能に取り付けられており、この下端部２４１Ｂを中心として回動可能である。
【００５７】
そして、右上片２４２と右下片２４３とは、連結部材２４６により連結されている。連結部材２４６の一方端２４６Ａは、右上片２４２に回動可能に取り付けられており、連結部材２４６の他方端２４６Ｂは、右下片２４３に回動可能に取り付けられている。
【００５８】
そして、右上片２４２が矢印Ｂで示す反時計回り方向に回動すると、この右上片２４２の回動に伴って、連結部材２４６の一方端２４６Ａが矢印Ｃで示す右下方向に移動する。このため、右下片２４３には、連結部材２４６の他方端２４６Ｂから右下片２４３を右下方向に押し下げようとする力が加わることとなる。これにより、右下片２４３が頂上片２４１の下端部２４１Ｂを中心として、矢印Ｄで示す反時計回り方向に回動することとなる。
【００５９】
左上片２４５および左下片２４４についても、右上片２４２および右下片２４３と左右反対（回転する方向、回動する方向が反対）ではあるが、構造や動作は同様である。具体的には、左上片２４５には、左片回転用ギア２５４が固定されており、左片回転用ギア２５４が矢印Ｅで示す時計回り方向に回転すると、左上片２４５が矢印Ｆで示す時計回りに回動する。
【００６０】
左下片２４４は、頂上片２４１の下端部２４１Ｂに回動可能に取り付けられており、この下端部２４１Ｂを中心として回動可能である。
【００６１】
そして、左上片２４５と左下片２４４とは、連結部材２４７により連結されている。連結部材２４７の一方端２４７Ａは、左上片２４５に回動可能に取り付けられており、連結部材２４７の他方端２４７Ｂは、左下片２４５に回動可能に取り付けられている。
【００６２】
そして、左上片２４５が矢印Ｅで示す時計回り方向に回動すると、この左上片２４５の回動に伴って、連結部材２４７の一方端２４７Ａが矢印Ｇで示す左下方向に移動する。このため、左下片２４４には、連結部材２４７の他方端２４７Ｂから左下片２４４を左下方向に押し下げようとする力が加わることとなる。これにより、左下片２４４が頂上片２４１の下端部２４１Ｂを中心として、矢印Ｈで示す時計回り方向に回動することとなる。
【００６３】
このようにして、右片回転用ギア２５３および左片回転用ギア２５４が所定量（所定角度）まで回転すると、モータ２５０の駆動が止まる（回転が停止する）。ここでいう所定量とは、右上片２４２および左上片２４５が回動し、これに従動してそれぞれ回動する右下片２４３と左下片２４４とが当接する位置に到達するまでのことをいう。図１８に示すように、右下片２４３と左下片２４４とが当接する位置に到達すると、星形可動体２４０において星形五角形が形成される（なお、図１６は、このとき形成された星形五角形を正面側から見た図である）。
【００６４】
なお、星形五角形が形成された星形可動体２４０は、役物本体２００が初期位置に戻る過程において、図１７→図１８で説明した手順と反対の手順（それぞれのギアやモータの回転方向が反対になる）に従って、星形五角形が形成された展開形態から収納形態に変位するものとなっている。
【００６５】
次に、本体部２０３の構成および動作について、図１９〜２８を用いて説明する。
【００６６】
図１９は、演出役物装置１００が非作動状態にあるときの役物本体２００を背面側から見た図である。また、図２０は、演出役物装置１００が作動状態にあるときの役物本体２００を背面側から見た図である。なお、星形可動体２４０についての説明は前述のとおりであるので、符号や説明等は省略する。
【００６７】
本体部２０３は、右羽根部材２１０と、左羽根部材２２０と、レバーアーム２６０と、従動アーム２７０と、連結アーム２８０とから構成されている。また、レバーアーム２６０と、従動アーム２７０と、連結アーム２８０とは、右羽根部材２１０および左羽根部材２２０を動作させるリンク機構Ｒを構成する。
【００６８】
レバーアーム２６０が、下ストッパ１２１に当接すると、図１９に示す位置にあるレバーアーム２６０の一方端であるレバー部２６１には、下ストッパ１２１から矢印Ａで示す力（レバー部２６１を上方に押し上げる力）を受ける。これにより、図２０に示すように、レバー部２６１が上方に押し上げられる。このとき、従動アーム２７０および連結アーム２８０が連動し、これに伴って、右羽根部材２１０および左羽根部材２２０が下方に回動して、羽根が開いたような形態（以下、「展開した形態」という）が形成されることとなる。
【００６９】
図２１は、レバーアーム２６０、従動アーム２７０、連結アーム２８０それぞれの構造について説明する図である。具体的には、図２１（ａ）は、レバーアーム２６０を背面側から見た図、図２１（ｂ）は、従動アーム２７０を背面側から見た図、図２１（ｃ）は、連結アーム２８０を背面側から見た図である。
【００７０】
レバーアーム２６０には、前述した下ストッパ１２１と当接するレバー部２６１と、回転軸穴２６２と、従動アーム２７０に設けられた係合突起２７１が回動可能に取り付けられる連結穴２６３とが設けられている。レバーアーム２６０は、回転軸穴２６２を挿通させた留め具２６４により、ベース本体２０１に回動可能に取り付けられる。すなわち、レバーアーム２６０は、回転軸穴２６２を挿通させた留め具２６４によりベース本体２０１に取り付けられた第１回動部２６６を中心として回動することが可能となっている。
【００７１】
従動アーム２７０には、レバーアーム２６０の連結穴２６３に係合する係合突起２７１と、左羽根部材２２０に設けられた突起２２３に係合する連結穴２７２と、コイル状の引張ばね２７５の一方端２７５Ａが取り付けられる取付け部２７３とが設けられている。なお、引張ばね２７５の他方端２７５Ｂは、留め具２９０によりベース本体２０１に固定される。
【００７２】
また、従動アーム２７０は、係合突起２７１をレバーアーム２６０の連結穴２６３に係合させることにより、レバーアーム２６０と連結する。なお、このとき、係合突起２７１が連結穴２６３から抜け出てしまわないように、係合突起２７１は留め具２７６にて脱落防止処理が施される。すなわち、従動アーム２７０は、連結穴２６３に係合した係合突起が留め具２７６により固定された第１連結部２７７を介してレバーアーム２６０に連結され、この第１連結部２７７を中心として回動することが可能となっている。
【００７３】
そして、従動アーム２７０には、第１連結部２７７を中心として、レバーアーム２６０と従動アーム２７０とが回動するにあたって、レバーアーム２６０と従動アーム２７０とがなす角度が、所定の角度より小さく屈曲してしまうことを規制するための規制部２７４が設けられている。
【００７４】
連結アーム２８０には、右羽根部材２１０の突起２１３が摺動可能に取り付けられる右長穴２８１と、回転軸穴２８２と、左羽根部材２２０の突起２２３が摺動可能に取り付けられる左長穴２８３とが設けられている。
【００７５】
この連結アーム２８０は、やや「くの字」形の形状を成しており、「くの字」形に屈曲した部分に回転軸穴２８２が設けられている。連結アーム２８０は、回転軸穴２８２を挿通させた留め具２８４により、ベース本体２０１に回動可能に取り付けられる。すなわち、連結アーム２８０は、回転軸穴２８２を挿通させた留め具２８４によりベース本体２０１に取り付けられた第２回動部２８６を中心として回動することが可能となっている。
【００７６】
なお、連結アーム２８０において、第２回動部２８６から右長穴２８１に向かって右半分の部分を右方２８０Ａといい、第２回動部２８６から左長穴２８３に向かう左半分の部分を左方２８０Ｂという。
【００７７】
また、右長穴２８１において、回転軸穴２８２に最も近い端側を端部２８１Ａ、回転軸穴２８２から最も遠い位置にある端側を端部２８１Ｂといい、左長穴２８３において、回転軸穴２８２に最も近い端側を端部２８３Ａ、回転軸穴２８２から最も遠い位置にある端側を端部２８３Ｂという。
【００７８】
図２２は、右羽根部材２１０および左羽根部材２２０の構造について説明する図である。具体的には、図２２（ａ）は、右羽根部材２１０の裏面側を示した図であり、図２２（ｂ）は、左羽根部材２２０の裏面側を示した図である。
【００７９】
図２２（ａ）に示すように、右羽根部材２１０は、羽根２１１と、回転軸穴２１２と、回転軸穴２１２に隣接して形成されるとともに、連結アーム２８０の右長穴２８１に係合する突起２１３とが一体的に成型されて構成される。
【００８０】
右羽根部材２１０は、回転軸穴２１２を挿通させた留め具２１４によりベース本体２０１に回動可能に取り付けられる。すなわち、右羽根部材２１０は、回転軸穴２１２が留め具２１４によりベース本体２０１に取り付けられた第１可動部２１６を中心として回動することが可能となっている。
【００８１】
そして、突起２１３は、連結アーム２８０の右長穴２８１内を摺動可能および回動可能に取り付けられる。なお、突起２１３を右長穴２８１に係合させた後、この突起２１３が右長穴２８１から脱落しないよう（抜け出てしまわないよう）に、突起２１３は、留め具２１５により脱落防止処理が施される。すなわち、右羽根部材２１０は、右長穴２８１に取り付けられた突起２１３が留め具２１５により固定された第３連結部２８８を介して連結アーム２８０に連結される。
【００８２】
同様に、図２２（ｂ）に示す左羽根部材２２０は、羽根２２１と、回転軸穴２２２と、回転軸穴２２２に隣接して形成されるとともに、連結アーム２８０の左長穴２８３に係合する突起２２３とが一体的に成型されて構成される。
【００８３】
左羽根部材２２０は、回転軸穴２２２を挿通させた留め具２２４によりベース本体２０１に回動可能に取り付けられる。すなわち、左羽根部材２２０は、回転軸穴２２２が留め具２２４によりベース本体２０１に取り付けられた第２可動部２２６を中心として回動することが可能となっている。
【００８４】
そして、突起２２３は、従動アーム２７０の連結穴２７２に回動可能に取り付けられるとともに、連結アーム２８０の左長穴２８３内を摺動可能および回動可能に取り付けられる。なお、突起２２３を左長穴２８３に係合させた後、この突起２２３が左長穴２８３から脱落しないよう（抜け出てしまわないよう）に、突起２２３は、留め具２２５により脱落防止処理が施される。また、突起２２３は、まず従動アーム２７０の連結穴２７２に係合させたうえで、連結アーム２８０の左長穴２８３に係合させるものとしている（図１９および図２０参照）。すなわち、左羽根部材２２０は、連結穴２７２および左長穴２８３に取り付けられた突起２２３が留め具２２５により固定された第２連結部２８７を介して、従動アーム２７０および連結アーム２８０に連結される。
【００８５】
図２３は、演出役物装置１００が、非作動状態にあるときの、レバーアーム２６０と、従動アーム２７０と、左羽根部材２２０との関係を説明する図である。
【００８６】
このとき、引張ばね２７５は、この引張ばね２７５の自然長よりやや伸長した状態が維持されるように取り付けられる。すなわち、役物本体２００が、初期位置にあるときには、レバーアーム２６０と従動アーム２７０とには、引張ばね２７５による付勢力がやや働いた状態にある。このとき、レバーアーム２６０と従動アーム２７０とがなす角度としては、図２３に示す角度αが保たれるようになっている。この付勢力は、レバーアーム２６０と従動アーム２７０とがなす角度αをより小さく屈曲させようとするものであるが、レバーアーム２６０と従動アーム２７０とがなす角度を、角度α以下にさせようとする力（付勢力）が働いた場合、レバーアーム２６０が規制部２７４に引っかかるため、角度α以下に屈曲させることができない。すなわち、従動アーム２７０の規制部２７４により、レバーアーム２６０と従動アーム２７０とがなす角度が、角度α以下の鋭角となるような屈曲はさせないように規制されている。したがって、従動アーム２７０の規制部２７４により、引張ばね２７５の付勢力が保たれる。また、このとき、左羽根部材２２０は、上方に位置し、本体部２０３に収納されたような形態（以下、「収納された形態」という）にある。
【００８７】
図２４は、演出役物装置１００が、作動状態にあるときの、レバーアーム２６０と、従動アーム２７０と、左羽根部材２２０との関係を説明する図である。
【００８８】
レバー部２６１が下ストッパ１２１に当接すると、レバーアーム２６０が回転軸穴２６２を中心として、レバー部２６１が上方に押し上げられるように回動する。このとき、第１連結部２７７は反対に下方に押し下げられるように回動する。
【００８９】
そして、第１連結部２７７が下方に押し下げられるように回動すると、従動アーム２７０が略下方（やや左下方）に押し下げられるように移動することとなる。このため、レバーアーム２６０と従動アーム２７０とがなす角度が、図２３に示す角度αよりも大きい角度βに変位する。したがって、レバーアーム２６０と従動アーム２７０とには、引張ばね２７５による付勢力が強く働くこととなる。すなわち、図２３に示した状態に比べてさらに強い付勢力が働くこととなる。すなわち、引張ばね２７５は図２３に示した状態（自然長よりやや伸長した状態）から、さらに伸長した状態となる。これらのことから、引張ばね２７５の弾性力は、レバー部２６１が下ストッパ１２１に当接してから生じる力（レバー部２６１を下方から上方に押し上げる力）に比べて小さいものとしている。
【００９０】
従動アーム２７０が略下方（やや左下方）に移動すると、第２連結部２８７が時計回り下方側に回動する。このとき、左羽根部材２２０も、第２可動部２２６を中心として時計回り下方側に回動する。これにより、左羽根部材２２０が、収納された形態から展開した形態に変位する。
【００９１】
図２５は、演出役物装置１００が、非作動状態にあるときの、第２連結部２８７と、連結アーム２８０との関係を示す図である。この非作動状態においては、第２連結部２８７は、左長穴２８３内において端部２８３Ｂ側に位置している。
【００９２】
図２６は、演出役物装置１００が、作動状態にあるときの、第２連結部２８７と、連結アーム２８０との関係を示す図である。この作動状態においては、従動アーム２７０が略下方に押し下げられることにより、第２連結部２８７が時計回りに下方側に回動する。このとき、第２連結部２８７は、左長穴２８３内において端部２８３Ｂ側から摺動して端部２８３Ａ側に到達する。さらに、このとき、連結アーム２８０の左方２８０Ｂが時計回り下方側に回動する。
【００９３】
図２７は、演出役物装置１００が、非作動状態にあるときの、右羽根部材２１０と、連結アーム２８０と、第３連結部２８８との関係を示す図である。この非作動状態においては、第３連結部２８８は、右長穴２８１内において端部２８１Ａ側に位置している。
【００９４】
図２８は、演出役物装置１００が、作動状態にあるときの、右羽根部材２１０と、連結アーム２８０と、第３連結部２８８との関係を示す図である。この作動状態においては、図２６で説明したとおり、連結アーム２８０の左方２８０Ｂが時計回り下方側に回動する。このとき、連結アーム２８０の右方２８０Ａは、第２回動部２８６を中心として時計回り上方側に回動する。
【００９５】
そして、連結アーム２８０の右方２８０Ａが第２回動部２８６を中心として時計回り上方側に回動することにより、第３連結部２８８には、下方から上方に押し上げる力が働くこととなる。このため、第３連結部２８８が反時計回りに上方側に回動する。また、このとき、第３連結部２８８は、右長穴２８１内において端部２８１Ａ側から摺動して端部２８１Ｂ側に到達する。さらに、このとき、右羽根部材２１０は、第１可動部２１６を中心として反時計回り下方側に回動する。これにより、右羽根部材２１０が、収納された形態から展開した形態に変位する。
【００９６】
以上のように、レバー部２６１が下ストッパ１２１に当接すると、第１連結部２７７、第２連結部２８７、第３連結部２８８により、レバーアーム２６０、従動アーム２７０、連結アーム２８０が連結されたリンク機構Ｒにおいて、第１可動部２１６、第２可動部２２６が可動することとなる。これにより、演出役物装置１００の作動状態において、役物本体２００を、演出表示装置４０の上方から前面を覆うように落下させるように移動させる場合において、役物本体２００が最大移動位置まで移動しきったとき（１段階目の動作が終了したとき）に、右羽根部材２１０および左羽根部材２２０を、収納された形態から展開した形態へと変位させる（２段階目の動作をさせる）ことができる。すなわち、１段階目の動作から時間差をつけて第２段階目の動作を行わせることができる。
【００９７】
また、演出役物装置１００を作動させるタイミングとしては、例えば、演出表示装置４０において演出図柄が変動表示されているときから停止表示するまでの任意のタイミングで作動させることや大当たり遊技において作動させることが考えられる。すなわち、大当たりの抽選結果として大当たりとなる可能性が高い場合に行われる演出図柄等による演出（リーチ演出）が実行されるときに演出役物装置１００を作動させるものとする。図２９は、リーチ演出において演出役物装置１００が作動するタイミングの一例を示したタイミングチャートである。
【００９８】
例えば、図２９（ａ）に示すパターン１のように、リーチ演出が開始されてから、このリーチ演出において発展的な演出（いわゆる、スーパーリーチ演出（ＳＰリーチ演出））が実行されるときに、演出役物装置１００を作動させて、１段階目の動作→２段階目の動作を連続的に行わせるものとしてもよい。このように、リーチ演出において演出役物装置１００を作動させることにより、リーチ演出における演出役物装置１００の作動による演出効果を高めることができる。
【００９９】
また、図２９（ｂ）に示すパターン２のように、リーチ演出が開始されてからは、最大移動位置までは役物本体２００を移動させずに、初期位置から最大移動位置までの間において役物本体２００を上下動させて１段階目の動作のみを行い、スーパーリーチ演出が実行されるときに、役物本体２００を最大移動位置に移動させて、２段階目の動作を行わせるものとしてもよい。このように、演出役物装置１００の作動において、１段階目の動作が行われてから時間差をつけて２段階目の動作が行われるものとすることにより、演出役物装置１００の作動による演出の煽り効果を高めることができる。
【０１００】
また、当該リーチ演出が大当たりとなるものである場合には上記した通り、２段階目の動作を行うが、当該リーチ演出が大当たりとならないものである場合には、２段階目の動作を行わないようにしてもよい。このようにすると、リーチ演出において演出役物装置１００を作動した場合（２段階目の動作まで行われた場合）には、大当たりが確定するプレミアム的な演出となり、演出役物装置１００の作動による演出効果を高めることができる。
【０１０１】
また、図２９（ｃ）に示すパターン３のように、いわゆる疑似連演出（ここでは、疑似連１回目〜４回目まで行われる場合を例にとって説明する）が実行されるときに、疑似連演出の１回目から４回目までは最大移動位置までは役物本体２００を移動させずに、初期位置から最大移動位置までの間において役物本体２００を上下動させて１段階目の動作のみを行い、疑似連演出４回目の終了後からリーチ演出に発展するときに、役物本体２００を最大移動位置に移動させて、２段階目の動作を行わせるものとしてもよい。なお、当該疑似連演出が大当たりとなる場合には上記した通り、２段階目の動作を行わせるが、当該疑似連演出が大当たりとならない場合には、２段階目の動作を行わせないようにしてもよい。このように、疑似連演出において演出役物装置１００を作動させることにより、いわゆる、疑似連煽りとしての演出効果を高めることができる。
【０１０２】
また、図２９（ｄ）に示すパターン４のように、大当たり遊技が開始されてから、所定のラウンド遊技（この場合は、８Ｒ（ラウンド）目のラウンド遊技）が実行されるときに演出役物装置１００を作動させて、例えば、当該大当たりの種類が、いわゆる確変大当たりの場合には、１段階目の動作→２段階目の動作というように続けて行うものとしてもよい。また、当該大当たりが、いわゆる通常大当たりの場合には、１段階目の動作のみ行うものとしてもよいし、１段階目の動作も行われないものとしてもよい。このように、大当たり遊技において演出役物装置１００を作動させることにより、大当たり遊技中の演出における演出効果を高めることができる。
【０１０３】
演出役物装置１００を作動させる条件や、タイミングは、上記したものに限られることはなく、種々の条件やタイミングを設定することにより、演出役物装置１００の作動による演出のバリエーションを豊富にすることが可能である。
【０１０４】
また、本実施形態では、レバー部２６１が下ストッパ１２１に当接したときには、レバー部２６１を下方から上方に押し上げる力が引張ばね２７５の弾性力よりも大きくなるため、左右の羽根部材２１０，２２０が展開した形態となるようにリンク機構Ｒが作動する。また、引張ばね２７５の弾性力により、レバー部２６１が下ストッパ１２１に当接したときの衝撃力を和らげることもできる。
【０１０５】
また、本実施形態では、レバー部２６１が下ストッパ１２１に当接していないときには、引張ばね２７５の付勢力により、左右の羽根部材２１０，２２０が収納された形態となるようにリンク機構Ｒが作動する。したがって、演出役物１００の作動状態が終了して、役物本体２００を最大移動位置から初期位置に戻すときに、展開した形態にある左右の羽根部材２１０，２２０を自動的に収納された形態に変位させることができる。
【０１０６】
また、本実施形態では、役物本体２００を上方から下方に移動させたときに生じる力により、リンク機構Ｒを作動させ、２段階目の動作を行わせるものである。したがって、２段階目の動作をさせる駆動源をモータ１１５の別に設ける必要がなく、別々の駆動源を設けることによりコストアップの問題を解決することができる。
【０１０７】
また、本実施形態では、役物本体２００を上方から下方に移動させるときに生じている力（モータ１１５の駆動力および役物本体２００に働く重力）を利用して、リンク機構Ｒを作動させ、２段階目の動作を行わせるものである。したがって、２段階目の動作をさせる駆動力を得るために、モータ１１５の駆動力を本来の動作に必要な駆動力（役物本体２００を上方から下方に移動させるために必要な駆動力）以上に必要とせず、モータ１１５の過負荷という問題を解決することができる。
【０１０８】
また、本実施形態では、本体部２０３（リンク機構Ｒ）と星形可動体２４０とは別々に可動するものとしているため、役物本体２００が初期位置にある場合でも星形可動体２４０において星形五角形を形成させることが可能である。例えば、大当たりとならない演出の場合には、役物本体２００が初期位置（左右の羽根部材２１０，２２０は収納された形態）にあって、星形可動体２４０において星形五角形が形成させるが、大当たりとなる演出の場合には、役物本体２００を最大移動位置（左右の羽根部材２１０，２２０は展開した形態）まで移動させたうえで、星形可動体２４０において星形五角形を形成させるものとしてもよい。また、初期位置から最大移動位置まで移動する途中で星形可動体２４０において星形五角形を形成させる、初期位置で星形五角形を形成して、役物本体２００とともに、初期位置から最大移動位置までの間において上下動させるものとしてもよい。このように、本体部２０３の作動に合わせたり、または本体部２０３の作動に合わせずに独自に星形可動体２４０を作動させたりすることにより、演出のバリエーションを豊富にすることができる。
【０１０９】
また、本実施形態では、星形可動体２４０は、リンク機構Ｒとは別に作動するものとしたが、リンク機構Ｒの作動に連動して星形可動体２４０を作動させるものとしてもよい。
【０１１０】
なお、本実施形態におけるモータ１１３、モータギア１１４、第１従動ギア１１５、第２従動ギア１１６、第３従動ギア１１７、ラックギア１１８、レール１１９は、本発明の移動機構を構成する。
【０１１１】
なお、本実施形態における下ストッパ１２１は、本発明の規制ストッパの一例に該当する。
【０１１２】
なお、本実施形態におけるレバーアーム２６０は、本実施形態のレバー部材の一例に該当し、本実施形態における連結アーム２８０は、本発明の連結部材の一例に該当する。
【０１１３】
なお、本実施形態における引張ばね２７５は、本発明の付勢手段の一例に該当する。
【符号の説明】
【０１１４】
Ｐ  パチンコ機
Ｒ  リンク機構
３  遊技盤
７  ハンドル
２０  一般入賞口
２２  ゲート
２４  第１始動入賞口
２６  第２始動入賞口
２７  アタッカー装置
２８  大入賞口
２９  アウト口
４０  演出表示装置
５０  ステージ
６０  演出用タッチボタン
１００  演出役物装置
１１０  左レール部材
１１１  表カバー
１１２  裏カバー
１１３  モータ
１１４  モータギア
１１５  第１従動ギア
１１６  第２従動ギア
１１７  第３従動ギア
１１８  ラックギア
１１９  レール
１２０  上ストッパ
１２１  下ストッパ（規制ストッパ）
１３０  右レール部材
２００  役物本体
２０１  ベース本体
２０２  ベースカバー
２０３  本体部
２０５  装飾部材
２１０  右羽根部材
２１１  羽根（羽根本体）
２１２  回転軸穴
２１３  突起
２１４  留め具
２１５  留め具
２１６  第１可動部
２２０  左羽根部材
２２１  羽根（羽根本体）
２２２  回転軸穴
２２３  突起
２２４  留め具
２２５  留め具
２２６  第２可動部
２４０  星形可動体
２４１  頂上片
２４２  右上片
２４３  右下片
２４４  左下片
２４５  左上片
２４６  連結部材
２４７  連結部材
２５０  モータ
２５１  モータギア
２５２  従動ギア
２５３  従動ギア（右片回転用ギア）
２５４  従動ギア（左片回転用ギア）
２６０  レバーアーム
２６１  レバー部
２６２  回転軸穴
２６３  連結穴
２６４  留め具
２６６  第１回動部
２７０  従動アーム
２７１  係合突起
２７２  連結穴
２７４  規制部
２７５  引張ばね
２７６  留め具
２７７  第１連結部
２８０  連結アーム
２８１  右長穴
２８２  回転軸穴
２８３  左長穴
２８４  留め具
２８６  第２回動部
２８８  第３連結部
２９０  留め具
【図１】
2015077285.tif 000003
【図２】
2015077285.tif 000004
【図３】
2015077285.tif 000005
【図４】
2015077285.tif 000006
【図５】
2015077285.tif 000007
【図６】
2015077285.tif 000008
【図７】
2015077285.tif 000009
【図８】
2015077285.tif 000010
【図９】
2015077285.tif 000011
【図１０】
2015077285.tif 000012
【図１１】
2015077285.tif 000013
【図１２】
2015077285.tif 000014
【図１３】
2015077285.tif 000015
【図１４】
2015077285.tif 000016
【図１５】
2015077285.tif 000017
【図１６】
2015077285.tif 000018
【図１７】
2015077285.tif 000019
【図１８】
2015077285.tif 000020
【図１９】
2015077285.tif 000021
【図２０】
2015077285.tif 000022
【図２１】
2015077285.tif 000023
【図２２】
2015077285.tif 000024
【図２３】
2015077285.tif 000025
【図２４】
2015077285.tif 000026
【図２５】
2015077285.tif 000027
【図２６】
2015077285.tif 000028
【図２７】
2015077285.tif 000029
【図２８】
2015077285.tif 000030
【図２９】
2015077285.tif 000031